(57)【特許請求の範囲】
【請求項１】
使用者の頭部に装着可能な装着部材と、
前記装着部材に設けられ、該装着部材から使用者の頭部に向かって突出し、使用者の額を含む頭部の周面の少なくとも一部を押圧可能に構成された少なくとも１つの押圧部とを備え、
前記装着部材は、使用者の頭部に装着可能な帽子本体と、前記帽子本体の周縁部の内側に設けられた帯状の内側バンドとを含み、
前記帯状の内側バンドは、該帯状の内側バンドと前記帽子本体の周縁部の内側との間において前記押圧部を挿脱可能な状態で保持するよう構成されている
ことを特徴とする姿勢矯正具。
【請求項２】
前記押圧部は、使用者の額を含む頭部の周面に沿って、周方向に間隔をおいて少なくとも２つ設けられている
ことを特徴とする請求項１記載の姿勢矯正具。
【請求項３】
前記押圧部は、隣接する他の押圧部との間隔を調節可能に構成されている
ことを特徴とする請求項２記載の姿勢矯正具。
【請求項４】
前記押圧部は、使用者の額を含む頭部の周面に対する位置を調節可能に構成されている
ことを特徴とする請求項１乃至３いずれか１項記載の姿勢矯正具。
【請求項５】
前記装着部材の少なくとも一部は、弾性素材からなり、
前記押圧部は、前記装着部材の収縮力によって、使用者の額を含む頭部の周面の少なくとも一部を押圧するように構成されている
ことを特徴とする請求項１乃至４いずれか１項記載の姿勢矯正具。
【発明の詳細な説明】
【技術分野】
【０００１】
本発明は、使用者の頭部に装着して用いられ、使用者の姿勢を矯正する姿勢矯正具に関する。
【背景技術】
【０００２】
近年、姿勢の悪さに起因する健康被害が問題視されており、特に、いわゆる猫背であることにより、肩こり、腰痛、Ｏ脚、及び内臓系疾患などの種々の弊害を招き、人体の健康に著しく影響を与えることが知られている。【０００３】
従来、これら肩こりなどの症状に対する治療には、指圧により人体に存在するツボを刺激し、硬直化した筋肉の緊張をほぐすマッサージなどが行なわれている。しかしながら、これらマッサージなどによる治療は、一時的な対応に過ぎず、悪化した姿勢を矯正しない限り、肩こりなどの症状が再発するものである。【０００４】
一方、従来から、使用者の姿勢を矯正する種々の姿勢矯正具が用いられている（特許文献１及び２参照）。これら特許文献１及び２に記載の姿勢矯正具は、使用者の胴体部分に装着して用いられ、使用者の肩部に掛け渡されたベルトの収縮力を利用して、使用者の両肩を後方側に引き起こすことにより、背筋の湾曲を矯正するものである。
【先行技術文献】
【特許文献】
【０００５】
【特許文献１】特開平９−７５３８３号公報
【特許文献２】実公平５−２９７０５号公報
【発明の概要】
【発明が解決しようとする課題】
【０００６】
しかしながら、これら特許文献１及び２の姿勢矯正具は、構造が複雑であると共に、着用が困難であり、また、一度着用すると容易に取り外すことができないとの問題がある。また、特許文献１及び２の姿勢矯正具は、ベルトの収縮力により使用者の肩部を引き起こすことができるものの、いわゆる猫背の症状である、頭部の前傾及び歪み等を矯正することができないという問題がある。【０００７】
そこで、本発明は、構造が簡潔で、容易に用いることができる姿勢矯正具を提供することを目的とする。
【課題を解決するための手段】
【０００８】
以上の目的を達成するため、本発明に係る姿勢矯正具は、使用者の頭部に装着可能な装着部材と、前記装着部材に設けられ、該装着部材から使用者の頭部に向かって突出し、使用者の額を含む頭部の周面の少なくとも一部を押圧可能に構成された少なくとも１つの押圧部とを備えていることを特徴とする。ここで、使用者の額を含む頭部の周面とは、使用者の額と、側頭部及び後頭部のうち額と同程度の高さに位置する領域とをいうものとする。【０００９】
このように、本発明に係る姿勢矯正具は、装着部材を使用者の頭部に装着させることにより、押圧部が使用者の額を含む頭部の周面を押圧するため、使用者の頭部を理想とする位置に導くことができ、使用者の姿勢を矯正することができる。また、本発明に係る姿勢矯正具は、使用者の額を含む頭部の周面を押圧することにより使用者の姿勢を矯正するものであるため、構造が簡潔であり、さらに、使用者の頭部に装着するという簡単な動作で使用することができる。【００１０】
本発明に係る姿勢矯正具において、このように使用者の姿勢を矯正することができるのは、いわゆる「ハンガー反射」又はこれに類似する現象によるものと思われる。ここで、「ハンガー反射」とは、人間の頭部の少なくとも一部を圧迫すると、脳が刺激され、無意識に頭部が上下左右のいずれかに旋回するというものである。【００１１】
本発明に係る姿勢矯正具において、前記押圧部は、使用者の額を含む頭部の周面に沿って、周方向に間隔をおいて少なくとも２つ設けられても良い。また、本発明に係る姿勢矯正具において、前記押圧部は、使用者の額を含む頭部の周面に沿って、周方向に延在して設けられても良く、この場合、前記押圧部は、周方向と直交かつ使用者の額を含む頭部の周面と平行な方向に間隔をおいて少なくとも２つ設けられても良い。【００１２】
また、本発明に係る姿勢矯正具において、前記押圧部は、隣接する他の押圧部との間隔を調節可能に構成されていることが好ましい。このように、押圧部が、隣接する他の押圧部との間隔を調節可能に構成されることにより、最も姿勢矯正の効果の発揮される位置に押圧部を調節することができるため、姿勢矯正の効果をより発揮させることができる。【００１３】
また、本発明に係る姿勢矯正具において、前記押圧部は、使用者の額を含む頭部の周面に対する位置を調節可能に構成されていることが好ましい。このように、押圧部が、使用者の額を含む頭部の周面に対する位置を調節可能に構成されていることにより、最も姿勢矯正の効果が発揮される位置に押圧部を調節することができるため、姿勢矯正の効果をより発揮させることができる。【００１４】
さらに、本発明に係る姿勢矯正具において、前記装着部材は、使用者の額を含む頭部の周面に装着可能なリング状に形成されても良いし、使用者の頭部に装着可能な帽子状に形成されても良い。このように、装着部材が、使用者の額を含む頭部の周面に装着可能なリング状に形成されていることにより、簡潔な構造からなる姿勢矯正具とすることができる。一方、装着部材が、使用者の頭部に装着可能な帽子状に形成される場合には、外観に優れた姿勢矯正具とすることができ、また、スポーツなどにおけるフォーム矯正にも積極的に用いることができる。【００１５】
またさらに、本発明に係る姿勢矯正具において、前記装着部材の少なくとも一部は、弾性素材からなり、前記押圧部は、前記装着部材の収縮力によって、使用者の額を含む頭部の周面の少なくとも一部を押圧するように構成されることが好ましい。このように、押圧部が、弾性素材からなる装着部材の収縮力によって、使用者の額を含む頭部の周面を押圧するように構成されることにより、押圧部を押圧させるためのアクチュエータなどが不要となるため、より簡潔な構造からなる姿勢矯正具とすることができる。
【発明の効果】
【００１６】
以上のように、本発明によれば、構造が簡潔で、容易に用いることができる姿勢矯正具を提供することができる。
【図面の簡単な説明】
【００１７】
【図１】本発明の第１実施形態に係る姿勢矯正具を示す斜視図である。
【図２】第１実施形態に係る姿勢矯正具を使用者の頭部に装着させた状態を示す斜視図である。
【図３】第１実施形態に係る姿勢矯正具により使用者の姿勢が矯正される過程を示す側面図である。
【図４】第１実施形態に係る姿勢矯正具の他の例を示す斜視図である。
【図５】本発明の第２実施形態に係る姿勢矯正具を示す斜視図である。
【図６】本発明の第３実施形態に係る姿勢矯正具を示す斜視図である。
【図７】本発明の第４実施形態に係る姿勢矯正具を示す斜視図である。
【発明を実施するための形態】
【００１８】
次に、本発明の第１実施形態に係る姿勢矯正具について、図面に基づいて説明する。第１実施形態に係る姿勢矯正具１は、図１及び図２に示すように、使用者２の頭部に装着可能な装着部材１０と、装着部材１０から使用者２の頭部に向かって突出して設けられた一又は複数の押圧部２０とを備えている。
【００１９】
装着部材１０は、織ゴムなどの弾性素材からなる帯状の装着部材本体１１と、装着部材本体１１の両端部にそれぞれ設けられた面ファスナ１２から構成されており、使用者２の額３を含む頭部の周面に装着可能なリング状に形成されている。この装着部材本体１１は、それぞれ帯状に形成された内側バンド１１ａと外側バンド１１ｂとの二重構造からなり、使用者２の頭部に装着された際に、押圧部２０を使用者２の額３を含む頭部の周面に適度に付勢させるような収縮性を有している。ここで、使用者２の額３を含む頭部の周面とは、使用者２の額３と、側頭部及び後頭部のうち額と同程度の高さに位置する領域とをいうものとする。面ファスナ１２は、装着部材本体１１の一方の端部に設けられた面ファスナと、他方の端部に設けられた面ファスナとを係合させることにより、装着部材１０をリング状にさせ、かつその径を調節可能に構成されている。
【００２０】
装着部材本体１１は、内側バンド１１ａと外側バンド１１ｂとが長手方向に１１等分されるように縫合されることにより、１１個の保持部１３が形成されている。各保持部１３は、内側バンド１１ａ及び外側バンド１１ｂの収縮力により、これら内側バンド１１ａ及び外側バンド１１ｂの間にそれぞれ押圧部２０を挿脱可能な状態で保持するように構成されている。
【００２１】
押圧部２０は、樹脂などからなり、円柱状に形成されている。この押圧部２０は、その周面が各保持部１３にそれぞれ保持され、これにより、装着部材１０が使用者２の頭部に装着された際に、装着部材１０によって付勢され、使用者２の額３を含む頭部の周面を押圧することができる。
【００２２】
第１実施形態に係る姿勢矯正具１は、一又は複数の押圧部２０が一又は複数の保持部１３にそれぞれ保持された状態において使用者２の額３を含む頭部に装着されることにより、押圧部２０によって使用者２の額３を含む頭部の周面の少なくとも一部を押圧するように構成されている。また、第１実施形態に係る姿勢矯正具１は、押圧部２０を保持させる保持部１３を適宜選択することにより、使用者２の額３を含む頭部の周面に対する押圧部２０の位置や、隣接する押圧部２０同士の間隔を調節可能に構成されている。
【００２３】
次に、第１実施形態に係る姿勢矯正具１の使用方法について、図３を用いて説明する。第１実施形態に係る姿勢矯正具１は、例えば、図３（ａ）に示すような、頭部の前傾及び歪みにより頭部の位置が身体の重心Ｇからずれている使用者２に用いられる。具体的には、まず、装着部材１０の所望の保持部１３に押圧部２０を保持させる。この際、使用者２の症状の度合いや治療したい部位等に応じて、押圧部２０の数及び保持部１３の箇所を選択することができる。次に、面ファスナ１２によって装着部材１０をリング状にさせ、使用者２の額３を含む頭部の周面に装着させる。次に、装着部材１０を使用者２の額３を含む頭部の周面に沿って移動させて調節し、所望の位置において各押圧部２０を使用者２の額３に押圧させる。これにより、図３（ｂ）に示すように、使用者２の頭部を無意識に上方に旋回させ、適正な姿勢、すなわち、頭部の位置が身体の重心Ｇに整合する姿勢に矯正させることができる。
【００２４】
第１実施形態に係る姿勢矯正具１は、例えば図４に示すように、装着部材本体１１を比較的収縮力の強い弾性部材から形成させると共に、押圧部２０を２つずつ隣接させて配置させ、１箇所における押圧面積及び押圧力を大きくすることにより、アスリートなどの筋肉量の多い使用者にも高い効果を発揮させることができる。
【００２５】
次に、本発明の第２実施形態に係る姿勢矯正具について、図５に基づいて説明する。第２実施形態に係る姿勢矯正具１´において、第１実施形態に係る姿勢矯正具１と同様の構成については、詳細な説明を省略し、異なる構成についてのみ説明する。第２実施形態に係る姿勢矯正具１´は、図５に示すように、使用者の頭部に装着可能な装着部材１０´と、装着部材１０´から使用者の頭部に向かって突出して設けられた押圧部２０´とを備えている。この装着部材１０´は、織ゴムなどの弾性素材からなる帯状の装着部材本体１１´と、装着部材本体１１´の両端部にそれぞれ設けられた面ファスナ１２´から構成されており、使用者の額を含む頭部の周面に装着可能なリング状に形成されている。
【００２６】
装着部材本体１１´は、第１実施形態に係る姿勢矯正具１の装着部材本体１１とは異なり、帯状に形成された単一のバンド（すなわち、二重構造ではないバンド）からなり、使用者の頭部に装着された際に、押圧部２０´を使用者の額を含む頭部の周面に適度に付勢させるような収縮性を有している。この装着部材本体１１´の内周面には、押圧部２０´を挿脱可能な状態で保持するように構成された保持部１３´が少なくとも１つ、本実施形態においては周方向に等間隔をおいて３つ設けられている。この保持部１３´は、装着部材本体１１´の内側に、周方向に長い長方形状の織ゴム片の上辺及び下辺を縫合させることにより、周方向に押圧部２０´を挿脱可能な袋状に形成されている。装着部材１０´は、装着部材本体１１´及び保持部１３´の収縮力により、装着部材本体１１´及び保持部１３´の間にそれぞれ押圧部２０´を保持可能に構成されている。
【００２７】
押圧部２０´は、樹脂などからなり、周方向に長い角柱状に形成されている。この押圧部２０は、保持部１３´内に収容可能な大きさに形成され、保持部１３´の周方向の長さよりも短い長さに形成されている。この押圧部２０´の大きさは、用途や使用状況に応じて適宜変更することができる。
【００２８】
第２実施形態に係る姿勢矯正具１´は、一又は複数の押圧部２０´が一又は複数の保持部１３´にそれぞれ保持された状態において使用者の額を含む頭部に装着されることにより、押圧部２０´によって使用者の額を含む頭部の周面の少なくとも一部を押圧するように構成されている。このように、  第２実施形態に係る姿勢矯正具１´は、押圧部２０´を周方向に長い角柱状に形成させ、押圧部２０´による押圧面積を大きくさせることにより、アスリートなどの筋肉量の多い使用者にも高い効果を発揮させることができる。また、第２実施形態に係る姿勢矯正具１´は、押圧部２０´を保持させる保持部１３´を適宜選択することにより、使用者の額を含む頭部の周面に対する押圧部２０´の位置や、隣接する押圧部２０´同士の間隔を調節可能に構成されている。
【００２９】
次に、本発明の第３実施形態に係る姿勢矯正具について、図６に基づいて説明する。第３実施形態に係る姿勢矯正具１´´の装着部材１０´´は、第１実施形態と異なり、使用者の頭部に装着可能な帽子状に形成されている。この装着部材１０´´の帽子本体１２´´の周縁部の内側には、周方向全周に亘って帯状の内側バンド１４´´が設けられている。この内側バンド１４´´は、所定の収縮力を有しており、内側バンド１４´´と帽子本体１２´´の周縁部の内側との間に押圧部２０´´を挿脱自在の状態で挟持するように構成されている。帽子本体１２´´の周縁部の後方側（図６中、右側）には、ゴムなどが施されることにより周方向に伸縮可能な伸縮部１６´´が設けられており、この伸縮部１６´´は、帽子本体１２´´が使用者の頭部に装着された際に、押圧部２０´´を使用者の額を含む頭部の周面に適度に付勢させるような収縮性を有している。ここで、伸縮部１６´´は、帽子本体１２´´の周縁部の後方側に設けられるとしたが、これに限定されず、任意の箇所に設けることができ、また、伸縮部１６´´を設けない構成としても良い。第３実施形態に係る姿勢矯正具１´´は、押圧部２０´´を帽子本体１２´´の周縁部の内側と内側バンド１４´´との間に挟持させる構成であるため、押圧部２０´´の形状の制約を軽減させることができ、種々の形状の押圧部２０´´を採用することができる。
【００３０】
第３実施形態に係る姿勢矯正具１´´は、一又は複数の押圧部２０´´が帽子本体１２´´の周縁部の内側と内側バンド１４´´との間に挟持された状態において使用者の額を含む頭部に装着されることにより、押圧部２０´´によって使用者の額を含む頭部の周面の少なくとも一部を押圧するように構成されている。第３実施形態に係る姿勢矯正具１´´によれば、帽子本体１２´´の周縁部の内側と内側バンド１４´´との間に押圧部２０´´が挟持される構成であるため、各押圧部２０´´を帽子本体１２´´の周縁部の内側及び内側バンド１４´´の間において周方向に移動させることにより、容易に押圧部２０´´の位置及び間隔の調節を行なうことができる。また、第３実施形態に係る姿勢矯正具１´´は、押圧部２０´´が挿脱自在であるため、押圧部２０´´の数量を状況に合わせて適宜調節することができる。
【００３１】
次に、本発明の第４実施形態に係る姿勢矯正具について、図７に基づいて説明する。第４実施形態に係る姿勢矯正具１´´´において、第１〜第３実施形態に係る姿勢矯正具１、１´、１´´と同様の構成については、詳細な説明を省略し、異なる構成についてのみ説明する。第４実施形態に係る姿勢矯正具１´´´の装着部材１０´´´は、第２実施形態に係る姿勢矯正具１´と同様に、帯状に形成された単一のバンドからなる装着部材本体１１´´´と、装着部材本体１１´´´の両端部にそれぞれ設けられた面ファスナ１２´´´から構成されており、使用者の額を含む頭部の周面に装着可能なリング状に形成されている。装着部材本体１１´´´の内周面には、使用者の額を含む頭部の周面に沿って、周方向に延在して設けられた少なくとも１つ、本実施形態においては一対の押圧部２０´´´が設けられている。この一対の押圧部２０´´´は、それぞれ、装着部材１０´´´の内周を周方向に半周する程度の長さを有し、装着部材本体１１´´´の周方向に延びるかまぼこ状に形成されており、周方向と直交かつ使用者の額を含む頭部の周面と平行な方向（すなわち、上下方向）に間隔をおいて設けられている。この一対の押圧部２０´´´は、それぞれ、ウレタンなどの樹脂からなる円柱状の弾性部材を織ゴム片により被覆し、この織ゴム片を装着部材本体１１´´´の内側に縫合することにより、装着部材本体１１´´´の内側に取り付けられている。第４実施形態に係る姿勢矯正具１´´´において、押圧部２０´´´は、一対設けられるとしたが、これに限定されず、一つ若しくは三つ以上設けられても良い。
【００３２】
第４実施形態に係る姿勢矯正具１´´´は、使用者の額を含む頭部に装着されることにより、一対の押圧部２０´´´によって主に使用者の額を線で押圧するように構成されている。第４実施形態に係る姿勢矯正具１´´´において、押圧部２０´´´は、第１乃至第３実施形態と同様に、装着部材１０´´´の保持部から取り外し可能であっても良く、また、適宜その個数や位置を調節可能であっても良い。
【００３３】
このように、第１〜第４実施形態に係る姿勢矯正具１、１´、１´´、１´´´によれば、従来の特許文献１及び２の姿勢矯正具においては矯正することができなかった頭部の前傾及び歪み等を矯正することができ、正しい姿勢を維持させることができる。また、第１〜第４実施形態に係る姿勢矯正具１、１´、１´´、１´´´は、使用者の額を含む頭部の周面を押圧することにより使用者の姿勢を矯正するものであるため、構造が簡潔であり、さらに、使用者の頭部に装着するという簡単な動作で使用することができる。
【００３４】
また、第１〜第４実施形態に係る姿勢矯正具１、１´、１´´、１´´´は、使用者の頭部を正しい位置に戻し、適切な姿勢に矯正することができる。したがって、いわゆる猫背などの治療に用いるだけでなく、むち打ち、頸椎ヘルニアなどの症状に対する治療や、ゴルフなどのスポーツにおけるフォームの矯正などにも用いることができる。すなわち、第１〜第４実施形態に係る姿勢矯正具１、１´、１´´、１´´´によれば、無理なく使用者の頭部を正しい位置に戻し、首の痛みを軽減すると共に頭を軽くすることができるため、従来から用いられているカラー（首コルセット）などの医療具に変わり、むち打ち、頸椎ヘルニアなどの症状に対する、優れた外観（意匠性）を有する新たな医療具として用いることができる。また、特に、第３実施形態に係る姿勢矯正具１´´は、帽子本体１２´の内側に押圧部２０´´が設けられていることにより、押圧部２０´´が外側から見えない構成とすることができるため、優れた意匠性を得ることができ、また、帽子状に形成されているため、ゴルフなどのスポーツにおけるフォーム矯正にも積極的に用いることができる。第１〜第４実施形態に係る姿勢矯正具１、１´、１´´、１´´´がゴルフなどのスポーツにおけるフォーム矯正に使用される場合には、使用者の重心を正しい位置に矯正すると共に、ヘッドアップやフォームを正しく矯正することができ、これにより、身体に力を入れることなくスイングすることが可能になるため、首や肩への負担を軽減させることができる。
【００３５】
本発明に係る姿勢矯正具は、上述した実施形態に限定されるものではなく、本発明の技術思想を逸脱しない範囲内において種々の改変を行なうことができる。例えば、第１、第２及び第４実施形態に係る姿勢矯正具１、１´、１´´´の装着部材１０、１０´、１０´´´は、リング状に形成され、第３実施形態に係る姿勢矯正具１´´の装着部材１０´´は、帽子状に形成されるとしたが、これに限定されず、装着部材は、ヘルメット状などの種々の形状に形成されてもよく、使用者の頭部に装着可能な構成であれば良い。この場合、例えば、装着部材にアクチュエータを設け、このアクチュエータによって押圧部を使用者の額を含む頭部の周面に押圧させる構成や、押圧部を膨張可能なエアバッグ状に形成し、エアーを供給することにより押圧部を膨張させ、使用者の額を含む頭部の周面に押圧部を押圧させる構成など、種々の構成を採用することができる。
【００３６】
また、第１〜第４実施形態に係る姿勢矯正具１、１´、１´´、１´´´において、押圧部２０、２０´、２０´´、２０´´´は、少なくとも１つ設けられていれば良い。また、第１〜第４実施形態に係る姿勢矯正具１、１´、１´´、１´´´において、押圧部２０、２０´、２０´´、２０´´´は、円柱状、角柱状又はかまぼこ状に形成されているとしたが、これに限定されず、いかなる形状に形成されていても良い。
【００３７】
さらに、第１、第２及び第４実施形態に係る姿勢矯正具１、１´、１´´´の装着部材１０、１０´、１０´´´は、面ファスナ１２、１２´、１２´´´によってリング状にされるとしたが、これに限定されず、帯状の装着部材本体をリング状に形成することにより、面ファスナを備えない構成としても良い。
【符号の説明】
【００３８】
１、１´、１´´、１´´´  姿勢矯正具、２  使用者、３  額、１０、１０´、１０´´、１０´´´  装着部材、２０、２０´、２０´´、２０´´´  押圧部
【図１】
0005898076.tif 000002
【図２】
0005898076.tif 000003
【図３】
0005898076.tif 000004
【図４】
0005898076.tif 000005
【図５】
0005898076.tif 000006
【図６】
0005898076.tif 000007
【図７】
0005898076.tif 000008